(57)【要約】【課題】  衣類乾燥後の部屋のジメッとした感じを低減する空気調和機を提供する。【解決手段】  暖房モード（ステップ３７），除湿モード（ステップ３５，ステップ４４）を組み合わせて衣類乾燥運転を行うモードを備えた空気調和機において、衣類乾燥運転は除湿モード（ステップ３５，ステップ４４，ステップ４９）を行ったのち終了する機能を備える。【選択図】  図４
2007046899.tif 000002
【特許請求の範囲】
【請求項１】
暖房モード，除湿モードを組み合わせて衣類乾燥運転を行うモードを備えた空気調和機において、衣類乾燥運転は除湿モードを行ったのち終了する機能を備えた空気調和機。
【請求項２】
暖房モード，除湿モードを組み合わせて衣類乾燥運転を行うモードを備えた空気調和機において、衣類乾燥運転は除湿モードを行い、その後暖房モードを行ったのち終了する機能を備えた空気調和機。
【請求項３】
暖房モード，除湿モードを組み合わせて衣類乾燥運転を行うモードを備えた空気調和機において、衣類乾燥運転中に行われる運転モードの切り換え時、室内ファンの運転を継続させる機能を備えた空気調和機。
【発明の詳細な説明】
【技術分野】
【０００１】
本発明は空気調和機に係り、特に、衣類乾燥を目的とした機能を有する空気調和機に関するものである。
【背景技術】
【０００２】
従来、衣類乾燥を目的とした機能を有しない空気調和機で衣類乾燥を行う場合、除湿モード若しくは冷房モード，暖房モードなどのうち使用者が所望する運転モード（ここでいう運転モードとは暖房や冷房や除湿などの運転の種類のことを指す。以後同様に運転モードと表す。）を選択して運転していた。
【０００３】
また、衣類乾燥運転を有し、衣類乾燥運転が選択されたときに、最初の一定時間暖房モードを行い、その後除湿モードを実行する運転パターンと、除湿モードのみを行う運転パターンを運転開始の室内温度によりか判断する特許文献１に記載の空気調和機がある。本従来例は暖房モードの後、除湿モードすることにより冬でも素早く洗濯物を乾燥させ、かつ暖房モードを行うかの判断を室温で用いて行うことにより必要なとき季節のみに暖房モードを絡ませ、年間を通じて常に素早く洗濯物を乾燥させることをねらいとしている。
【０００４】
さらに、一般に市場で売られている空気調和機の中には、空気調和機に衣類乾燥を目的とした機能を有して、室内及び室外の環境にかかわらずに除湿モード（ここでいう除湿モードとは弱冷房モードにより除湿を行う簡易除湿方式と再熱器と冷却器を有する再熱除湿方式の両方を含み、除湿モードとする。以後同様の内容で除湿モードと表す。）により衣類乾燥を行うか、若しくはある設定温度に対し、室内温度が設定温度になるように、暖房モードと除湿モードを交互に行うことで衣類乾燥を行うものが知られている。本従来例は暖房モードと除湿モードを組み合わせ交互に運転することにより室内温度をある程度高く保ち、冬など寒い季節でも常に素早く洗濯物を乾燥させるというがねらいである。
【０００５】
空気調和機における衣類乾燥機能の使用シーンとして想定される時期は（１）梅雨期で雨が続き外に干せないとき（２）菜種梅雨，秋の長雨の時期で雨が続き外に干せないとき（３）特に雪の多い地方で冬の間にほとんど外に干せないとき（４）集合住宅で美観上ベランダに洗濯物を干せないケースなど考えられ、年間を通して多岐に渡る条件で使用される。
【０００６】
【特許文献１】特許第２７５７６３５号公報
【発明の開示】
【発明が解決しようとする課題】
【０００７】
上記従来技術は、室温を判断のパラメーターとして暖房モードと除湿モードを切り換え乾燥させるというものである。特に春，秋，冬期など外気温度が低いときは除湿モードではすぐに室温が低くなってしまい、乾燥しにくい。暖房モードでは洗濯物から放湿させる湿気で室内湿度が高くなり、乾燥しにくい。
【０００８】
以下にさらに細かく問題点を説明する。上記従来例のうち衣類乾燥を目的とした機能が除湿モードにより衣類乾燥を行う空気調和機の場合、除湿モードには室温を上げる能力はほとんどなく、秋口や春先，冬の時期は外気温度が低い時期に除湿モードを行うと湿度は低下するが同時に室温も低下してしまう。後述してあるが、湿度が低くても、温度が低いと洗濯物の乾燥スピードは遅くなる。つまり、かかる従来例を秋口や春先，冬の時期は外気温度が低い時期に使用すると洗濯物がなかなか乾燥しないという問題点があり、年間を通じて常にすばやく洗濯物を乾燥するということは出来ない。
【０００９】
次に衣類乾燥を目的とした機能がある空気調和機の場合、設定温度に対し、室内温度が設定温度になるように、暖房モードと除湿モードを交互に行い、衣類乾燥を行う従来例について説明する。外気温度が低い冬の時期に使用した場合、暖房モードでは室温を上げることはできるが湿気を取ることは出来ない。図での説明は省略するが、場合によっては暖房モードを行う前に除湿モードを行っていると室内熱交換器についた水（除湿した水）を蒸発させ、室内に戻してしまう（いわゆる湿気戻りが起こってしまう）。また、前述したように除湿モードでは暖める能力はほとんどなく、冬における熱負荷を考えるとすぐに室温が低下してしまう。また本従来例では設定温度に対し室温が低い場合は設定温度になるまで暖房モードを行い、設定温度になると暖房モードから除湿モードに切り換えるとしているが、本従来例のねらいから考えると設定温度はある程度高くないと効果が得られず、設定温度がある程度高め（例えば２０〜２４℃くらい）であると考えると、上記に前述したように冬における熱負荷から考えると除湿モードではすぐに室温が下がり、暖房モードに切り換え、暖房モードでは室温が上がったらまた除湿モードに切り換えるというように図１０に示すような空気調和機の運転モードの切り換えと室内温度と室内湿度の挙動となり、断続運転が頻繁に起こる。つまり、断続運転が頻繁なので、除湿モードの運転率が低く、また湿気戻りもあり、湿度が下がらない。室温は高く保たれるが、湿度が高いままになるので、洗濯物はなかなか乾燥しない。本従来例のねらいである室温をある程度高く保ち、冬でも常に素早く洗濯物を乾燥させるということは出来ない。
【００１０】
次に特許文献１記載の従来例について説明する。本従来例では空気調和機では使用している時期に係わらず、そのときの室温が予め定められた閾値より低い場合は最初、一定時間暖房モードを行い、その後一定時間除湿モードを行い、停止する。また上記暖房モード中は設定温度により室温が高くなれば一時停止し、低くなれば再開し、除湿モード中は設定温度より室温が低くなれば一時停止し、高くなれば再開するとなっている。第１の問題点として上記のように運転開始時の室温により暖房モードを絡ませる必要の有無を判断しているが、室温はその前に室内でどのような設定で空調機が運転されていたかに影響し、冬でも設定温度を高くして暖房モードをしていれば、室温は高いし、夏でも設定温度を低くして冷房をしていれば室温は低い。つまり、室温では季節の判断は出来なく、暖房モードを絡ませる必要の有無は判断できない。つまり室内温度が判断基準では本従来例のねらいである、必要なとき季節のみに暖房モードを絡ませ、年間を通じて常に素早く洗濯物を乾燥させるということはできない。
【００１１】
また、従来例で冬に衣類乾燥運転を行い、暖房モードのあと除湿モードを行う運転パターン行うと判断した場合、図１１に示すような空気調和機の運転モードの切り換わりと室内温度と室内湿度の挙動となる。前述したように暖房モード中は洗濯物からの湿気により室内湿度が上昇する。除湿モード中は外気温度が低いため熱負荷を考えると室温の低下速度が著しく速く、すぐに停止してしまう。そのため除湿モードの運転率（除湿モード中に実際に圧縮機が駆動して除湿している割合）が少なく、室内湿度も下がらず、また室温も低いままとなり、洗濯物を乾燥スピードは遅くなる。つまり、運転開始の最初だけ暖房モードを行い、残りの時間を除湿モードを行う運転パターンでは室温が低くなり、冬に洗濯物を素早く乾かすことは出来ず、本従来例のねらいである、年間を通じて常に素早く洗濯物を乾燥させるということはできない。
【００１２】
また、本従来例の場合、暖房モードと除湿モードそれぞれの運転時間が予め定められていると記載されているが、室内の環境にかかわらず運転時間が定められている場合、室内湿度が高いのにもかかわらず、暖房モードの長時間継続したり、室内湿度が低いのにもかかわらず、暖房モードから除湿モードに切り換るといった、洗濯物を乾燥させるのに効率的でない運転になるケースが考えられ、暖房モードと除湿モードを組み合わせるのに最適な切り換えのタイミングとならない。
【００１３】
上記で、複数の従来例を説明したがいずれの場合も年間を通じて常に洗濯物を早く効率的に乾かすということができない。しかし使用者のニーズでは（１）年間を通じて常に早く、効率的に乾燥させたい。（２）煩わしい操作が無く、簡単に乾燥させたい。（３）洗濯物を乾かすと同時にその湿気も除去したいということが挙げられていた。併せて、空気調和機等で衣類を乾燥させるとどうしてもジメッとした感じが残り、仕上がり感が今一歩という不満も挙げられていた。
【００１４】
本発明の目的は、衣類乾燥後の部屋のジメッとした感じを低減する空気調和機を提供することにある。
【００１５】
本発明の第２の目的は、衣類乾燥後の部屋のジメッとした感じを低減すると共に衣類の仕上がり感を良好にする空気調和機を提供することにある。
【００１６】
さらに本発明の第３の目的は、暖房モード，除湿モードを組み合わせて衣類乾燥運転を行うモードを備えた空気調和機において、極力衣類乾燥を継続する空気調和機を提供することにある。
【課題を解決するための手段】
【００１７】
上記第１の目的は、暖房モード，除湿モードを組み合わせて衣類乾燥運転を行うモードを備えた空気調和機において、衣類乾燥運転は除湿モードを行ったのち終了する機能を備えることによって達成される。
【００１８】
上記第２の目的は、暖房モード，除湿モードを組み合わせて衣類乾燥運転を行うモードを備えた空気調和機において、衣類乾燥運転は除湿モードを行こない、その後暖房モードを行ったのち終了する機能を備えることによって達成される。
【００１９】
上記第３の目的は、暖房モード，除湿モードを組み合わせて衣類乾燥運転を行うモードを備えた空気調和機において、衣類乾燥運転中に行われる運転モードの切り換え時、室内ファンの運転を継続させる機能を備えることによって達成される。
【発明の効果】
【００２０】
また、衣類乾燥後の部屋のジメッとした感じを低減する空気調和機を提供することができる。
【００２１】
さらに、衣類乾燥後の部屋のジメッとした感じを低減すると共に衣類の仕上がり感を良好にする空気調和機を提供することができる。
【００２２】
さらに、暖房モード，除湿モードを組み合わせて衣類乾燥運転を行うモードを備えた空気調和機において、極力衣類乾燥を継続する空気調和機を提供することができる。
【発明を実施するための最良の形態】
【００２３】
洗濯物を乾かすのに必要な要素は、（１）洗濯物の表面温度を高く保つ、つまり室温を高く保つ、（２）室内湿度を低く保つ、（３）洗濯物に気流をあてる、ということである。
【００２４】
上記の従来技術の課題の解決、ユーザーのニーズの実現のため、達成度合の違いにより、複数の解決手段が考えられる。以下、実施例を説明する。
【００２５】
まず、使用者が衣類乾燥運転を選択したとき、外気温度を検知して外気温度がある設定値より高い場合は除湿モードを実行して衣類乾燥運転を行い、また、外気温度がある設定値より低い場合は暖房モードを行う。衣類乾燥時に暖房モードが必要なケースは梅雨，春，秋，冬など肌寒い季節で外気温度低く、除湿モードでは部屋の温度が下がってしまう季節である。そしてこのように外気温度により暖房モードか除湿モードか実行する運転モード決定すれば、衣類乾燥時に暖房モードが必要な時期（季節）のみ衣類乾燥中に暖房モードを行うようにすることができる。
【００２６】
さらに、使用者が衣類乾燥運転を選択したとき、外気温度を検知して外気温度がある設定値より低い場合は暖房モードを行うが、かかる暖房モードは予め定められた最低運転時間持続させ、その後、室内温度と室内湿度を検知し、室内温度が設定温度に到達していて、かつ、室内湿度がある設定値より高くなっていれば、除湿モードに切り換える。室内温度が設定温度に到達していなかったり、室内湿度がある設定値より低い場合は引き続き暖房モードを行い、室内温度と室内湿度が上記条件を満たすまで継続させる。このように衣類乾燥運転時における暖房モードの必要性を外気温度で判断し、また暖房モードと除湿モードの切り換えを室内温度と室内湿度で判断する。このようにすることにより、暖房モードを継続しすぎて、室内湿度が高いまま長時間維持されたり、室内湿度が高くないのに除湿モードに切り換るといった効率的でない運転をすることを防ぐことができる。
【００２７】
また、さらに、衣類乾燥運転中、上記条件を満たせば、暖房モードから除湿モードに切り換えるが、暖房モードから除湿モードに切り換った時の除湿モードは予め定められた最低運転時間を持続させ、その後室内湿度を検知し、室内湿度がある設定値より低くなっていれば、再び、暖房モードに切り換える。そしてその後、暖房モードは予め定められた最低運転時間持続させ、その後、室内温度と室内湿度を検知し、室内温度が設定温度に到達していて、かつ、室内湿度がある設定値より高くなっていれば、再び、除湿モードに切り換える。つまり、使用者が衣類乾燥運転を選択したとき、外気温度がある設定値より低ければまず暖房モードを行い、予め定められた条件を満たせば、「暖房モード→除湿モード→暖房モード→除湿モード→」と使用者が運転を停止するまで繰り返すものである。洗濯物が多く、長時間衣類乾燥運転させるときに湿度が高いまま長時間持続されたり、室温が低いまま長時間持続されるということなく、洗濯物を速く、効率的に乾燥することが可能となる。
【００２８】
また、使用者の所望により変更可能な衣類乾燥運転の運転時間が予め定めることもできる。つまり使用者が衣類乾燥運転を選択したとき、或いは併せて予め定められている衣類乾燥運転時間を変更したとき、外気温度を検知して外気温度がある設定値より高い場合は除湿モードを実行し、予め定められた若しくは使用者所望の運転時間継続して自動停止する。外気温度がある設定値より低い場合は暖房モードを行い、かかる暖房モードは予め定められた最低運転時間持続させ、その後、室内温度と室内湿度を検知し、室内温度が設定温度に到達していて、かつ室内湿度がある設定値より高くなっていれば、除湿モードに切り換え、予め定められた若しくは使用者所望の運転時間を継続したのち自動停止する。室内温度が設定温度に到達していなかったり、室内湿度がある設定値より低い場合は引き続き暖房モードを行い、室内温度と室内湿度が上記条件を満たすまで継続させ、暖房モード中に予め定められた若しくは使用者所望の運転時間、継続した場合も自動停止する。これは留守中など不在時の使用に対応したものである。
【００２９】
また、衣類乾燥運転開始時に外気温度によって暖房モードでの運転開始が判断され、上記記載の除湿モードに切り換える条件を満たしたら除湿モードに切り換え、さらに暖房モードへ、さらに除湿モードへ切り換えるといった、繰り返し運転モードを切り換える衣類乾燥モードとし、予め定められた衣類乾燥モードの運転時間若しくは使用者が所望する設定された衣類乾燥モードの運転時間の期間中「暖房→除湿→暖房→除湿→」と繰り返し、かかる運転時間を継続したら、自動停止する。これにより、不在時にかつ、洗濯物が多く、長時間衣類乾燥運転させるときに湿度が高いまま長時間持続されたり、室温が低いまま長時間持続されるということなく、洗濯物を速く効率的に乾燥することが可能となる。
【００３０】
さらに、上記衣類乾燥運転モードが、上記予め定められた運転時間若しくは使用者所望の時間に変更した運転時間の終了の前の予め定められた一定時間、必ず除湿モードを行い、そのまま停止する。これにより洗濯物から出た湿気を部屋に残さずに、部屋も同時に乾燥させて衣類乾燥機能を終了することができる。
【００３１】
さらに、上記衣類乾燥運転モードが、予め定められた運転時間若しくは使用者所望の時間に変更した運転時間の終了の前の予め定められた一定時間、必ず除湿モード及びその後予め定められた一定時間暖房モードを行い、そのまま停止する。これにより洗濯物から出た湿気を部屋に残さずに、部屋も同時に乾燥させて、かつ、最後に暖房して衣類の表面温度を上げ、仕上がり感を向上させて、衣類乾燥機能を終了することができる。
【００３２】
また、暖房モードと除湿モードが切り換る時、また暖房，除湿モード中の断続運転時など、圧縮機を停止させるときも室内ファンはそのまま継続運転させるようにする。先に洗濯物を乾かすのに必要な要素として述べたとおり、気流は重要な要素であり、この手段のように圧縮機停止中も常に室内ファンを運転することにより、より多くの時間、洗濯物に空気調和機の気流を当てることが出来、速く洗濯物を乾燥させることができる。
【００３３】
以下、上記した本発明の実施例を図を用いて詳細に説明する。
【００３４】
図１は本発明による空気調和機の一実施例の制御機構を示すブロック図であって、１は空気調和機本体（以下、本体という）であり、３は本体ＣＰＵ、４は本体記憶部、５は受信回路部、６は室内温度検出部、７は室内湿度検出部、８は外気温度検出部、９は運転時間演算部、１０は室内ファンモーター、１１は室外ファンモーター、１２は圧縮機モーター、１３は四方弁コイルにより構成されている。２は操作リモコンであって、１４はリモコンＣＰＵ、１５は送信回路、１６はリモコン記憶部、１７はタイマーボタン、１８は運転／ボタン停止、１９は衣類乾燥ボタン、２０は表示部により構成されている。
【００３５】
まず、操作リモコン２では使用者が所望の運転内容を選択し、本体１に送信するがここでは衣類乾燥運転を所望しているとして説明する。まず使用者が衣類乾燥ボタン１９で衣類乾燥運転を選択した場合、リモコンＣＰＵ１４はリモコン記憶部１６に予め記憶されている情報を読み込み、表示部２０に表示する。その後に運転／停止ボタンを押すと衣類乾燥運転信号を送信回路１５より送信する。また、衣類乾燥ボタン１９に運転をオンさせる機能も併せ持たせた場合は衣類乾燥ボタン１９で衣類乾燥運転を選択するとリモコン表示部２０に表示するとともに、衣類乾燥運転信号を送信回路１５より送信する。ここでリモコン記憶部２０には衣類乾燥機能に関して予め設定されている初期値が記憶されており、風速設定，風向設定等である。また、衣類乾燥運転の運転時間が予め定められている場合はここに初期値が記憶されている。また、衣類乾燥運転信号とは衣類乾燥運転命令，風速設定，風向設定，運転時間などである。
【００３６】
また、使用者が所望の運転時間に設定する場合はタイマーボタン１７をサイクリックに押して設定することができる。
【００３７】
操作リモコン２０より送信された衣類乾燥運転信号は本体１の受信回路部５で受信し、本体ＣＰＵ３に送られる。本体ＣＰＵ３は外気温度検出部８で外気温度を検出し、この検出値に対応した運転内容を本体記憶部４より読み出し、この運転内容に基づいて、室内ファンモーター１０，室外ファンモーター１１，圧縮機１２，四方弁コイル１３を制御する。ここでいう運転内容とは運転モード、夫々の運転モードの運転時間，操作リモコンより受信した風速設定に対応した室内ファン回転数，風向設定に対応した風向板角度を指す。
【００３８】
運転中は室内温度検出部６，室内湿度検出部７，運転時間演算部９で室内温度，室内湿度を検出及び夫々の運転時間を演算し、室内ファンモーター１０，室外ファンモーター
１１，圧縮機１２，四方弁コイル１３を制御する。
【００３９】
図２，図３を用いて第１の実施例を説明する。
【００４０】
図２は本発明による一実施例の本体の制御動作を示すフローチャートを示す。衣類乾燥運転信号を受信したら（ステップ３０）室内温度検出部６で室内温度を検出し（ステップ３１）、その値に基づき設定温度を算出する（ステップ３２）。次に外気温度検出部８で外気温度を検出し（ステップ３３）、その外気温度により衣類乾燥運転の最初に行う運転モードを決定する（ステップ３４）。つまり、外気温度がある閾値より大きい場合、例えば、ここではある閾値を２４℃とすると、外気温度が２４℃より高い場合は、熱負荷が大きく除湿運転による衣類乾燥を行ったとしても室内温度が衣類乾燥に支障を来たすほど低下しないと判断して除湿モードにて運転を行う（ステップ３５）。除湿モードを継続しながら運転時間をカウントして予め設定されている衣類乾燥運転時間を経過したら（ステップ３６）自動停止する。
【００４１】
また、図２においてステップ３４で外気温度が閾値より低いと判定されたとき、例えば外気温度が２４℃より低い場合は、除湿モード運転による乾燥では、室温が低下し衣類乾燥に支障を来たすと判断し、まず暖房モードを実行する（ステップ３７）。暖房モードを継続しながら運転時間をカウントして予め設定されている衣類乾燥運転時間を経過したら（ステップ３８）自動停止する。予め設定されている衣類乾燥運転時間を経過していない場合（ステップ３８）、予め設定されている暖房モード運転時間（最小暖房運転時間）を経過していれば（ステップ３９）、室内湿度検出部７で室内湿度を検出し(ステップ４０)、予め設定されている閾値より小さい場合、例えばここではある閾値を６０％とすると、室内湿度が６０％より低い場合（ステップ４１）は暖房モードを継続する。室内湿度が
６０％より高い場合（ステップ４１）は、室内温度検出部６で室内温度を検出し（ステップ４２）、設定温度より低い場合（ステップ４３）は、暖房モードを継続する（ステップ３８）。室内温度検出部６で室内温度を検出し（ステップ４２）、設定温度より高い場合（ステップ４３）は除湿モードに切り換え、除湿運転を実行する（ステップ４４）。
【００４２】
除湿モードを継続しながら運転時間をカウントして衣類乾燥運転を開始してから、予め設定されている衣類乾燥運転時間を経過したら（ステップ４５）自動停止する。予め設定されている衣類乾燥運転時間を経過していない場合（ステップ４５）、次に除湿モードを開始してから予め設定されている除湿モード運転時間を経過していれば（ステップ４６）、室内湿度検出部７で室内湿度を検出し（ステップ４７）、予め設定されている閾値より小さい場合、例えばここではある閾値を６０％とすると、室内湿度が６０％より低い場合（ステップ４８）は除湿モードを継続する。室内湿度が６０％より高い場合（ステップ
４８）は暖房モードに切り換え、実行する（ステップ３７）。
【００４３】
ここで、本空気調和機に用いる冷凍サイクルについて説明する。冷凍サイクルは、圧縮機，四方弁，室外熱交換器，膨張弁，第１の室内熱交換器，除湿用の膨張機構，第２の室内熱交換器から構成され、これらが冷媒配管によって接続される。冷房時は、圧縮機によって圧縮された高温高圧のガス冷媒は、四方弁を介して室外熱交換器にて凝縮され、膨張弁を通過することで減圧される。そしてこの減圧された低温低圧の冷媒が第１及び第２の室内熱交換器を通過することで、室内の空気と熱交換し室内を冷却し、冷媒は蒸発する。ガス化した冷媒は再び圧縮機に戻る。なお、除湿用の膨張機構は動作させない。暖房時は、上記冷房とは逆の冷媒流れとなるように四方弁を切り換える。圧縮機によって圧縮された高温高圧のガス冷媒は、四方弁を介して第１第２の室内熱交換器に流入し、第１第２の室内熱交換器によって室内の空気と熱交換して室内の空気を暖めるとともに、自らは凝縮する。凝縮した冷媒は膨張弁で膨張し、低温低圧の冷媒となる。そして、室外熱交換器によって熱が与えられて蒸発し、再び圧縮機に戻る。このとき、除湿用の膨張機構は動作させない。
【００４４】
除湿について説明する。制御装置によって冷房サイクルドライが選択されたとき、四方弁は冷房サイクル時の冷媒流れとなるようにセットされ、膨張弁はオープンとなり、除湿用膨張機構は動作して減圧可能となる。圧縮機によって圧縮された高温高圧のガス冷媒は、四方弁を介して室外熱交換器に流入し、オープンとなっている膨張弁を介して第１の室内熱交換器に至る。この第１の熱交換器は、凝縮機として作用し室内の空気を暖める。ここで凝縮した冷媒は除湿用の膨張機構を介して減圧され、第２の室内熱交換器に流入する。この第２の室内熱交換器は冷却器として作用し室内の空気を冷却することで空気中の水分を液化させて除湿する。この第２の室内熱交換器にて蒸発した冷媒は再び圧縮機に戻る。
【００４５】
また、制御装置によって暖房サイクルドライが選択されたとき、四方弁は暖房サイクル時の冷媒流れとなるようにセットされ、膨張弁はオープンとなり、除湿用膨張機構は動作して減圧可能となる。圧縮機によって圧縮された高温高圧のガス冷媒は、四方弁を介して加熱器として作用する第２の室内熱交換器に流入し、室内の空気を暖める。凝縮した冷媒は除湿用膨張機構によって減圧され、第１の室内熱交換器に流入し、室内空気の熱を奪う。この第１の室内熱交換器は冷却器として作用し、室内空気を除湿する。第１の室内熱交換器から流出した冷媒は、膨張弁を介して室外機に流入して蒸発して圧縮機に戻る。
【００４６】
なお、ここでは、除湿手段として冷房サイクル除湿及び暖房サイクル除湿を説明したが、いずれか一方でも良く、またこれに限らず冷房運転を行い室内ファンの回転数を微風とするいわゆる弱冷房除湿としても良い。なお、この場合は室内熱交換器を２つとする必要なく一つで済み、除湿用膨張機構も必要としない。
【００４７】
図３に図２の実施例における室内温度，室内湿度及び実行運転モードの挙動例を示す。なお、外気温度検出部８で検出した外気温度がある閾値より低く、暖房モードで運転を開始する例を示す。ここでｔｓは運転開始時の室温、ｔｓ＋ｔｕは設定温度、Ｈｈは除湿モードに復帰する閾値の湿度、Ｈｕは暖房モードに復帰する閾値の湿度、Ｔｈは予め設定されている暖房モード運転時間、Ｔｄは予め設定されている除湿モード運転時間、Ｔｔは予め設定されている衣類乾燥運転時間を表す。
【００４８】
まず暖房モードで運転を開始し、暖房モード運転時間Ｔｈまで持続する（Ａ部）。室温はｔｓ＋ｔｕかつ、室内湿度が除湿モードに復帰する閾値の湿度Ｈｈより高いので除湿モードに切り換わる。除湿モードを除湿モード運転時間Ｔｄ実行するが、室内湿度が暖房モードに復帰する閾値の湿度Ｈｕに到達していないので、そのまま室内湿度が暖房モードに復帰する閾値の湿度Ｈｕに到達するまで除湿モードを継続する（Ｂ部）。その後、暖房モード（Ｃ部），除湿モード（Ｄ部）を繰り返し、衣類乾燥運転開始から衣類乾燥運転時間Ｔｔを経過して自動停止する。
【００４９】
以上、本実施例によれば、衣類乾燥運転を行う際、暖房運転を行うか行わないかの判断を室内温度ではなく外気温度によって行うようにしたので、例えば、冬場、石油ストーブなどによって暖房された部屋で、ストーブを消して衣類乾燥運転が行われたとき、室内温度によって暖房運転を行うかどうかの判断を行う場合に比べて次のような効果がある。この場合、部屋が暖まっているので、暖房運転が行われず除湿運転が行われてしまい衣類の温度が低下して乾燥を妨げてしまう。しかし、外気温によって判断する本実施例では、少なくとも予め決めた最小時間暖房運転を行うので、衣類を温めることで衣類乾燥が行われ、その後除湿運転が行われるので、衣類の乾燥が促進されるといった効果を奏する。
【００５０】
次に、図４，図５，図８を用いて第２の実施例について説明する。
【００５１】
図４は本発明による第２の実施例の本体の制御動作を示すフローチャートを示す。なお、図２と同じ動作をする部分は同じ符号で表している。図２の動作と異なる部分は図４においてステップ３８′，ステップ４５′，ステップ４９ないしステップ５０である。
【００５２】
暖房モード実行中（ステップ３７）に衣類乾燥運転時間の判定を行う。かかる判定の条件は、タイマーセットされた衣類乾燥運転の終了時間よりある一定時間前となっているかどうかを判定し、その時間が経過したら運転を除湿モードに切り換え、除湿モードを実行する（ステップ４９）。これは最後に除湿モードすることによりそれまで衣類から出た湿気を室内から取り除き、さらに部屋の湿度を下げて終了するために実行するものである。除湿モードを実行してから予め設定されている仕上げ用の除湿モード時間を経過するまで除湿モードを継続し（ステップ５０）、経過したら自動停止する。また、暖房運転の後、除湿モード実行中（ステップ４４）に衣類乾燥運転時間の判定を行う。かかる判定の条件は衣類乾燥運転の終了時間よりある一定時間前に到達していれば除湿モードをひき続き継続，実行する（ステップ４９）。そして除湿モードを実行してから予め設定されている仕上げ用の除湿モード時間を経過するまで除湿モードを継続し（ステップ５０）、経過したら自動停止する。つまりステップ４９における一定時間とは仕上げ用の除湿モード運転時間と同一である。なお、衣類乾燥運転時間が経過してから仕上げ除湿運転を行っても効果は変わらない。
【００５３】
図５に図４の実施例の室内温度，室内湿度及び実行運転モードの挙動例を示す。なお、外気温度検出部８で検出した外気温度がある閾値より低く、暖房モードで開始する例を示す。図５Ａ部〜Ｄ部の挙動は図３と同じなのでＥ部，Ｆ部について説明する。Ｅ部は暖房モードを実行しているが室内温度は設定温度に達していなく、暖房モードが始まってから、予め定められた暖房モード運転時間Ｔｈも経過していないが、衣類乾燥運転終了時からＴｄｓ前に到達しているので暖房モードから除湿モードに切り換える（Ｆ部）。このようにすることにより衣類乾燥運転終了直前まで暖房モードを実行していて室内湿度が高いまま衣類乾燥運転を終了してしまうということを防ぐことができる。
【００５４】
図８は上記の第２の実施例と除湿モードのみで衣類乾燥を行った従来例と乾燥スピードを比較したものであって、測定条件は乾燥時洗濯物重量が５kg、乾燥開始時洗濯物重量が７.８kg とし、室内、室外温・湿度が２０℃８０％の条件と２４℃８０％の条件で、環境試験室で測定したものである。図８から明らかなように、この実施例では従来例である除湿のみで衣類乾燥を行った場合に比べ、室内、室外温・湿度が２０℃８０％の条件では
１５％、室内、室外温・湿度が２４℃８０％の条件では８％の乾燥時間の短縮が図れている。
【００５５】
以上本実施例では、衣類乾燥初期段階に暖房を行うかどうかの判断を外気温に基づいて行うことで、前記第１の実施例と同様の効果を奏し、さらに暖房，除湿運転が交互に行われるため、第１の実施例と同様、衣類乾燥に要する時間を短縮することができる。また、所定時間の衣類乾燥後に室内を除湿するようにしたので、室内のジメジメ感を少なくすることができる。
【００５６】
次に、図６，図７，図９を用いて第３の実施例について説明する。
【００５７】
図６は本発明による第３の実施例の本体の制御動作を示すフローチャートを示す。なお、図２，図４と同じ動作をする部分は同じ符号で表している。図４の動作と異なる部分は図２においてステップ３８，ステップ４５，ステップ５０，ステップ５１，ステップ５２である。暖房モード実行中（ステップ３７）に衣類乾燥運転時間の判定を行う。かかる判定の条件は衣類乾燥運転の終了時間よりある一定時間であることが判定されたとき除湿モードに切り換え、除湿モードを実行する（ステップ４９）。除湿モードを実行してから予め設定されている仕上げ用の除湿モード時間を経過するまで除湿モードを継続し（ステップ５０）、経過したら暖房モードに切り換える（ステップ５１）。そして暖房モードを実行してから予め設定されている仕上げ用の暖房モード時間を経過するまで暖房モードを継続し（ステップ５１）、経過したら自動停止する。
【００５８】
まず、衣類乾燥運転を終了する一定時間前に除湿をいれるのは、上記、第２の実施例の説明でも述べたように、衣類乾燥終了直前に除湿モードすることによりそれまで衣類から出た湿気を取り除き、さらに部屋の湿度を下げて終了するために実行するものである。この第３の実施例では除湿モードを一定時間実行した後に、再び暖房モードを一定時間実行するが、この暖房の実行する時間は５〜１０分ぐらいと短くし、かつすでに洗濯物は乾燥しており、直前に除湿モードを実行しているので、暖房モードを実行しても室内湿度は上がらず、上記第２の実施例と同様な効果が得られる。あわせて、最後に暖房モードを実行することにより、衣類の表面温度を上げることが出来、仕上がり感の向上につながる。
【００５９】
なお、仕上げ暖房については、外気温が高い場合行わなくするようにしても良い。
【００６０】
図７に図６の実施例を室内温度，室内湿度及び実行運転モードの挙動例を示す。なお、外気温度検出部８で検出した外気温度がある閾値より低く、暖房モードで開始する例を示す。図７Ａ部〜Ｆ部の挙動は図５と同じなのでＧ部について説明する。Ｆ部は暖房モードを実行しているが室内温度は設定温度に達していなく、暖房モードが始まってから、予め定められた暖房モード運転時間Ｔｈも経過していないが、衣類乾燥運転終了時からＴｄｓ前に到達しているので暖房モードから除湿モードに切り換える（Ｆ部）。このようにすることにより衣類乾燥運転終了直前まで暖房モードを実行していて室内湿度が高いまま衣類乾燥運転を終了してしまうということを防ぐことができる。
【００６１】
さらに、本発明では、上記第１の実施例ないし第３に実施例のいずれにおいても暖房モード実行中や除湿モード実行中に室温制御などの影響で圧縮機を一時的に停止するケースがある。また、暖房モードと除湿モードの切り換る際は四方弁コイル１３をコントロールして冷凍サイクルを逆回転させるが圧縮機の保護や冷媒音の抑制のために圧縮機を一時的に停止するケースがある。かかるようなケースでも室内ファンモーター１０は常に回すようにする。このようにすることにより洗濯物につねに風を当てることが可能となり、より速く洗濯物を乾燥させることができる。
【００６２】
以上説明したように、本第１乃至第３の実施例によれば、年間を通じて衣類を速く乾かすことが可能となる。なぜなら、外気温度，室内温度，室内湿度，各運転モードの運転時間によって、暖房モード，除湿モードを衣類乾燥モード使用時の環境にあった組み合わせて運転させることができるので、乾燥時間の短縮につながる。
【００６３】
さらに、外気温度，室内温度，室内湿度，各運転モードの運転時間によって、暖房モード，除湿モードを衣類乾燥モード使用時の環境にあった組み合わせて運転させることができるのでそのときの室内温度などを考慮し、設定温度を決めるなどの煩わしい操作必要なく、誰でも簡単に使用することができる。
【００６４】
さらに、洗濯物を室内に干した際に不満が多かった、仕上がり感についても向上させることができる。
【図面の簡単な説明】
【００６５】
【図１】本発明による一実施例を示すブロック図である。
【図２】本発明による第１の実施例の制御動作を示すフローチャートである。
【図３】図２に示した実施例における室内温度，室内湿度及び運転モードの挙動例を示す図である。
【図４】本発明による第２の実施例の制御動作を示すフローチャートである。
【図５】図４に示した実施例における室内温度，室内湿度及び運転モードの挙動例を示す図である。
【図６】本発明による第３の実施例の制御動作を示すフローチャートである。
【図７】図６に示した実施例における室内温度，室内湿度及び運転モードの挙動例を示す図である。
【図８】図４に示した実施例と除湿モードのみで衣類乾燥を行った場合の乾燥スピード比較の結果を示した図である。
【図９】図６に示した実施例と除湿モードのみで衣類乾燥を行った場合の衣類の表面温度比較の結果を示す図である。
【図１０】従来例の室内温度，室内湿度及び運転モードの挙動例を示す図である。
【図１１】従来例の室内温度，室内湿度及び運転モードの挙動例を示す図である。
【符号の説明】
【００６６】
１  空気調和機本体
２  操作リモコン
３  本体ＣＰＵ
４  本体記憶部
５  受信回路部
６  室内温度検出部
７  室内湿度検出部
８  外気温度検出部
９  運転時間演算部
１０  室内ファンモーター
１１  室外ファンモーター
１２  圧縮機
１３  四方弁コイル
１４  リモコンＣＰＵ
１５  送信回路部
１６  リモコン記憶部
１７  タイマーボタン
１８  運転／停止ボタン
１９  衣類乾燥ボタン
２０  表示部
【図１】
2007046899.tif 000003
【図２】
2007046899.tif 000004
【図３】
2007046899.tif 000005
【図４】
2007046899.tif 000006
【図５】
2007046899.tif 000007
【図６】
2007046899.tif 000008
【図７】
2007046899.tif 000009
【図８】
2007046899.tif 000010
【図９】
2007046899.tif 000011
【図１０】
2007046899.tif 000012
【図１１】
2007046899.tif 000013